(57)【要約】【課題】カートリッジが装置本体に装着されているか否かを確実に検知することができる画像形成装置を提供すること。【解決手段】  現像カートリッジ９が本体ケーシング２に装着されたときに、現像カートリッジ９の突出部６２を、アクチュエータ７１の突部７４Ｂに当接させて、アクチュエータ７１を第２位置に位置させる。このときに、ＣＰＵ７７に、現像カートリッジ９が本体ケーシング２に装着されていると判断させる。その後、ウォーミングアップ動作において、検知ギア４９の当接部５５をアクチュエータ７１の突部７４Ｂに当接させて、アクチュエータ７１を第３位置に位置させる。このときに、ＣＰＵ７７に、現像カートリッジ９が新品であると判断させる。【選択図】図６
2014191347.tif 000002
【特許請求の範囲】
【請求項１】
装置本体と、
前記装置本体に対して装着または離脱するように構成されるカートリッジと
を備え、
前記カートリッジは、
筐体と、
前記装置本体から駆動力が入力されることで、前記筐体に対して移動するように構成される可動部材と
を備え、
前記装置本体は、
前記筐体と当接するように構成される第１部分と、前記可動部材と当接するように構成される第２部分とを有する検知体と、
前記カートリッジの新旧を判断するように構成される判断手段と
を備え、
前記可動部材は、前記第２部分と当接するように構成される当接部を備え、
前記検知体は、
前記カートリッジが前記装置本体から離脱しているときに位置する第１位置と、
前記カートリッジが前記装置本体に装着され、前記第１部分と前記筐体とが当接したときに位置する第２位置と、
前記カートリッジが前記装置本体に装着され、前記第２部分と前記可動部材とが当接したときに位置する第３位置と
の間を移動するように構成され、
前記判断手段は、
前記検知体が前記第１位置に位置した場合に、前記カートリッジが前記装置本体から離脱されていると判断し、
前記検知体が前記第２位置に位置した場合に、前記カートリッジが前記装置本体に装着されていると判断し、
前記検知体が前記第３位置に位置した場合に、前記カートリッジが新品であると判断するように構成される
ことを特徴とする、画像形成装置。
【請求項２】
前記第１部分は、前記カートリッジの前記装置本体に対する装着方向において、前記第２部分よりも前記装着方向下流側に配置されている
ことを特徴とする、請求項１に記載の画像形成装置。
【請求項３】
前記筐体は、第１壁と、第１方向において前記第１壁と間隔を隔てて位置する第２壁とを備え、
前記可動部材は、前記第１壁に配置され、前記第１方向に延びる第１軸線を中心に回転可能に構成され、
前記検知体は、前記カートリッジが前記装置本体に装着されたときに、前記第１方向において、前記第１壁と向かい合うように位置し、
前記第１部分は、前記第２部分よりも、前記第１方向内側に位置している
ことを特徴とする、請求項２に記載の画像形成装置。
【請求項４】
前記可動部材は、前記第１方向に往復移動可能に構成されており、前記当接部と前記筐体との間の前記第１方向の距離が第１距離となる第１可動位置から、前記当接部と前記筐体との間の前記第１方向の距離が前記第１距離よりも大きい第２距離となる第２可動位置を経て、前記第２可動位置から、前記当接部と前記筐体との間の前記第１方向の距離が前記第２距離よりも小さい第３距離となる第３可動位置に移動するように構成されており、
前記当接部は、前記可動部材が前記第２可動位置に位置しているときに、前記第２部分と当接する
ことを特徴とする、請求項３に記載の画像形成装置。
【請求項５】
前記筐体は、前記可動部材を被覆する被覆部材を備え、
前記第１部分は、前記被覆部材と当接するように構成される
ことを特徴とする、請求項３または４のいずれか一項に記載の画像形成装置。
【請求項６】
前記被覆部材は、前記第１方向外側に突出する突出部を有し、
前記第１部分は、前記カートリッジが前記装置本体に装着されたときに、前記突出部と当接するように構成される
ことを特徴とする、請求項５に記載の画像形成装置。
【請求項７】
前記検知体は、
前記第１部分を有する第１検知体と、
前記第２部分を有する第２検知体と
を備え、
前記第１検知体は、前記検知体が前記第２位置から前記第３位置に移動するときに、移動せず、
前記第２検知体は、前記検知体が前記第２位置から前記第３位置に移動するときに、移動するように構成されている
ことを特徴とする、請求項３ないし６のいずれか一項に記載の画像形成装置。
【請求項８】
前記第１検知体と前記第２検知体とは、前記第１方向に沿う第２軸線について回動するように構成される
ことを特徴とする、請求項７に記載の画像形成装置。
【請求項９】
前記可動部材は、前記第１方向に沿って延びるように構成され、
前記第２部分は、前記第１方向と直交する第２方向に沿って延びるように構成されている
ことを特徴とする、請求項８に記載の画像形成装置。
【請求項１０】
前記検知体が前記第２位置に位置しているときの前記回転軸線から、前記第１部分と前記筐体との当接部分までの距離と、前記検知体が前記第３位置に位置しているときの前記回転軸線から、前記第２部分と前記当接部との当接部分までの距離とは、略同一長さである
ことを特徴とする、請求項１ないし９のいずれか一項に記載の画像形成装置。
【発明の詳細な説明】
【技術分野】
【０００１】
本発明は、電子写真方式が採用される画像形成装置に関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための新品検出手段を備えている。
【０００４】
例えば、現像カートリッジに回転可能に設けられる検出ギヤに、本体ケーシング内のアクチュエータに当接される当接突起を設け、現像カートリッジが本体ケーシングに装着されたときに、検出ギヤを回転駆動させて、当接突起によってアクチュータを揺動させるとともに、光センサによってアクチュエータの揺動を検出し、その検出結果に基づいて、現像カートリッジの情報を判断するレーザプリンタが提案されている（たとえば、下記特許文献１参照。）。
【先行技術文献】
【特許文献】
【０００５】
【特許文献１】特開２００６−２６７９９４号公報
【発明の概要】
【発明が解決しようとする課題】
【０００６】
上記した特許文献１に記載されるような画像形成装置において、現像カートリッジが装置本体に装着されているか否かの情報を、現像カートリッジが新品であるか否かの情報とは別に検出することが検討される場合がある。
【０００７】
この場合、現像カートリッジが装置本体に装着されているか否かの情報を検出するセンサを、別途、設けることが検討される。この場合には、画像形成装置の製造コストが増大する。
【０００８】
また、現像カートリッジが装置本体に装着されているか否かの情報を、検出ギヤを兼用して検出することが検討される。
【０００９】
この場合、検出ギヤは、回転可能であることから、現像カートリッジの筐体に対して、比較的大きながた（遊び）を有する場合がある。そのため、検出ギヤが回転していないときには、本体ケーシングのアクチュエータに対する検出ギアの当接を確保することが困難な場合がある。
【００１０】
そこで、本発明の目的は、カートリッジが装置本体に装着されているか否かを確実に検知することができる画像形成装置を提供することにある。
【課題を解決するための手段】
【００１１】
（１）上記した目的を達成するために、本発明の画像形成装置は、装置本体と、装置本体に対して装着または離脱するように構成されるカートリッジとを備える。
【００１２】
カートリッジは、筐体と、装置本体から駆動力が入力されることで、筐体に対して移動するように構成される可動部材とを備える。
【００１３】
装置本体は、検知体と、カートリッジの新旧を判断するように構成される判断手段とを備える。
【００１４】
検知体は、筐体と当接するように構成される第１部分と、可動部材と当接するように構成される第２部分とを有する。可動部材は、第２部分と当接するように構成される当接部を備える。
【００１５】
検知体は、カートリッジが装置本体から離脱しているときに位置する第１位置と、カートリッジが装置本体に装着され、第１部分と筐体とが当接したときに位置する第２位置と、カートリッジが装置本体に装着され、第２部分と可動部材とが当接したときに位置する第３位置との間を移動するように構成される。
【００１６】
判断手段は、検知体が第１位置に位置した場合に、カートリッジが装置本体から離脱されていると判断し、検知体が第２位置に位置した場合に、カートリッジが装置本体に装着されていると判断し、検知体が第３位置に位置した場合に、カートリッジが新品であると判断するように構成される。
【００１７】
このような構成によれば、検知体は、第１部分と筐体とが当接したときに第２位置に位置する。このとき、判断手段は、カートリッジが装置本体に装着されていると判断する。
【００１８】
そのため、カートリッジの筐体そのものの位置を検知することができ、カートリッジが装置本体に装着されているか否かを確実に検知することができる。
【００１９】
そして、検知体は、可動部材が移動して第２部分と可動部材とが当接したときに第３位置に位置する。このとき、判断手段は、カートリッジが新品であると判断する。
【００２０】
そのため、カートリッジが装置本体に装着されているか否かとは別に、カートリッジが新品であるか否かを検知することができる。
【００２１】
その結果、カートリッジが装置本体に装着されているか否かを確実に検知することができながら、カートリッジが新品であるか否かを検知することができる。
（２）第１部分は、カートリッジの装置本体に対する装着方向において、第２部分よりも装着方向下流側に配置されていてもよい。
【００２２】
このような構成によれば、カートリッジを装置本体に装着したときに、第２部分よりも装着方向下流側において、筐体を第１部分に当接させることができる。
【００２３】
そのため、筐体が第１部分に当接した後において、可動部材を、装着方向上流側から容易に第２部分に当接させることができる。
【００２４】
その結果、カートリッジが装置本体に装着されているか否かを検知した後においても、カートリッジが新品であるか否かを確実に検知することができる。
（３）筐体は、第１壁と、第１方向において第１壁と間隔を隔てて位置する第２壁とを備えてもよい。可動部材は、第１壁に配置され、第１方向に延びる第１軸線を中心に回転可能に構成されてもよい。検知体は、カートリッジが装置本体に装着されたときに、第１方向において、第１壁と向かい合うように位置してもよい。この場合、第１部分は、第２部分よりも、第１方向内側に位置していてもよい。
【００２５】
このような構成によれば、第１部分がより第１方向内側に位置しているので、カートリッジを装置本体に装着したときに、筐体を第１部分に容易に当接させることができる。
（４）可動部材は、第１方向に往復移動可能に構成されており、当接部と筐体との間の第１方向の距離が第１距離となる第１可動位置から、当接部と筐体との間の第１方向の距離が第１距離よりも大きい第２距離となる第２可動位置を経て、第２可動位置から、当接部と筐体との間の第１方向の距離が第２距離よりも小さい第３距離となる第３可動位置に移動するように構成されていてもよい。この場合、当接部は、可動部材が第２可動位置に位置しているときに、第２部分と当接してもよい。
【００２６】
このような構成によれば、可動部材が第２可動位置に進出されているときに、可動部材を装置本体の検知体に容易に検知させることができながら、可動部材が第１位置に配置されているとき、または、可動部材が第３位置に退避されているときには、可動部材が装置本体の部材との衝突などにより破損されることを抑制できる。
（５）筐体は、可動部材を被覆する被覆部材を備えてもよい。この場合、第１部分は、被覆部材と当接するように構成されてもよい。
【００２７】
このような構成によれば、可動部材を被覆する被覆部材を利用して、カートリッジが装置本体に装着されているか否かを検知することができる。
（６）被覆部材は、第１方向外側に突出する突出部を有してもよい。この場合、第１部分は、カートリッジが装置本体に装着されたときに、突出部と当接するように構成されてもよい。
【００２８】
このような構成によれば、突出部において、被覆部材を第１部分に容易に当接させることができる。
（７）検知体は、第１部分を有する第１検知体と、第２部分を有する第２検知体とを備えてもよい。この場合、第１検知体は、検知体が第２位置から第３位置に移動するときに、移動せず、第２検知体は、検知体が第２位置から第３位置に移動するときに、移動するように構成されてもよい。
【００２９】
このような構成によれば、検知体が第２位置から第３位置に移動するときに、第２検知体のみを確実に移動させることができる。
（８）第１検知体と第２検知体とは、第１方向に沿う第２軸線について回動するように構成されてもよい。
【００３０】
このような構成によれば、第１検知体と第２検知体とを共通の第２軸線について回動させることができる。
【００３１】
そのため、第１検知体と第２検知体とを効率よく配置することができる。
（９）可動部材は、第１方向に沿って延びるように構成されてもよい。この場合、第２部分は、第１方向と直交する第２方向に沿って延びるように構成されてもよい。
【００３２】
このような構成によれば、第２部分に、第２部分と直交する第１方向に延びる可動部材を当接させることができる。
【００３３】
そのため、第１方向において第２部分に対する可動部材の当たり代を確保することができ、可動部材を、第２部分に対して確実に当接させることができる。
（１０）検知体が第２位置に位置しているときの、回転軸線から第１部分と筐体との当接部分までの距離と、検知体が第３位置に位置しているときの、回転軸線から第２部分と当接部との当接部分までの距離とは、略同一長さであってもよい。
【００３４】
このような構成によれば、検知体の第１位置から第２位置への移動距離と、検知体の第２位置から第３位置への移動距離とをほぼ同等に設定することができる。
【発明の効果】
【００３５】
本発明の画像形成装置によれば、カートリッジが装置本体に装着されているか否かを確実に検知することができながら、カートリッジが新品であるか否かを検知することができる。
【図面の簡単な説明】
【００３６】
【図１】図１は、本発明の画像形成装置の第１実施形態としてのプリンタを示す中央断面図である。
【図２】図２は、図１に示す現像カートリッジの左側面図である。
【図３】図３は、図２に示す現像カートリッジの左下から見た斜視図であって、ギアカバーを外した状態を示す。
【図４】図４は、図３に示す検知ギアの組み付け状態を説明する説明図である。
【図５】図５は、アクチュエータの揺動を説明する説明図であって、現像カートリッジが本体ケーシングから離脱されているときの状態を示し、図５Ａは、左側面図であり、図５Ｂは、左後から見た斜視図である。
【図６】図６は、アクチュエータの揺動を説明する説明図であって、現像カートリッジが本体ケーシングに装着されたときの状態を示し、図６Ａは、左側面図であり、図６Ｂは、左後から見た斜視図である。
【図７】図７は、図６ＡのＡ−Ａ断面図である。
【図８】図８は、プロセスカートリッジと本体ケーシングの内壁との相対配置を説明する説明図である。
【図９】図９は、アクチュエータの揺動を説明する説明図であって、検知ギアの当接部がアクチュエータに当接されたときの状態を示し、図９Ａは、左側面図であり、図９Ｂは、左後から見た斜視図である。
【図１０】図１０は、図９ＡのＢ−Ｂ断面図である。
【図１１】図１１は、アクチュエータの揺動を説明する説明図であって、検知ギアの回転が終了した状態を示し、図１１Ａは、左側面図であり、図１１Ｂは、左後から見た斜視図である。
【図１２】図１２は、第２実施形態のアクチュエータを説明する説明図であって、現像カートリッジが本体ケーシングから離脱されているときの状態を示し、図１２Ａは、左側面図であり、図１２Ｂは、左後から見た斜視図である。
【図１３】図１３は、第２実施形態のアクチュエータを説明する説明図であって、現像カートリッジが本体ケーシングに装着されたときの状態を示し、図１３Ａは、左側面図であり、図１３Ｂは、左後から見た斜視図である。
【図１４】図１４は、第２実施形態のアクチュエータを説明する説明図であって、検知ギアの後側の突起がアクチュエータの第２検知体に当接した状態を示し、図１４Ａは、左側面図であり、図１４Ｂは、左後から見た斜視図である。
【図１５】図１５は、第２実施形態のアクチュエータを説明する説明図であって、検知ギアの後側の突起がアクチュエータの第２検知体から外れた状態を示す。
【図１６】図１６は、第２実施形態のアクチュエータを説明する説明図であって、検知ギアの前側の突起がアクチュエータの第２検知体に当接した状態を示す。
【図１７】図１７は、第２実施形態の変形例を説明する説明図である。
【発明を実施するための形態】
【００３７】
１．プリンタの全体構成
図１に示すように、画像形成装置の一例としてのプリンタ１は、電子写真方式のモノクロプリンタである。
【００３８】
なお、以下の説明において、プリンタ１の方向に言及するときには、プリンタ１を水平に載置した状態を上下の基準とする。すなわち、図１の紙面上方が上方であり、紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。左右方向は、第１方向の一例である。上下方向は、第２方向の一例である。前後方向は、装着方向の一例である。前方は、装着方向上流側の一例である。後方は、装着方向下流側の一例である。
【００３９】
プリンタ１は、装置本体の一例としての本体ケーシング２と、プロセスカートリッジ３と、スキャナユニット４と、定着ユニット５とを備えている。
【００４０】
本体ケーシング２は、略ボックス形状を有している。本体ケーシング２は、開口部６と、フロントカバー７と、給紙トレイ２０と、排紙トレイ２１とを有している。
【００４１】
開口部６は、本体ケーシング２の前壁を前後方向に貫通し、プロセスカートリッジ３の通過を許容するように構成されている。
【００４２】
フロントカバー７は、略板形状を有している。フロントカバー７は、その下端部を支点として本体ケーシング２の前壁に揺動可能に支持されている。フロントカバー７は、開口部６を開放または閉鎖するように構成されている。
【００４３】
給紙トレイ２０は、本体ケーシング２の底部に配置されている。給紙トレイ２０は、用紙Ｐを収容するように構成されている。
【００４４】
排紙トレイ２１は、本体ケーシング２の上面に配置されている。
【００４５】
プロセスカートリッジ３は、本体ケーシング２に対して装着または離脱するように構成されている。プロセスカートリッジ３は、ドラムカートリッジ８と、カートリッジの一例としての現像カートリッジ９とを備えている。
【００４６】
ドラムカートリッジ８は、感光ドラム１０と、スコロトロン型帯電器１１と、転写ローラ１２とを備えている。
【００４７】
感光ドラム１０は、プロセスカートリッジ３の後端部に回転可能に支持されている。感光ドラム１０は、左右方向に長手の略円筒形状を有している。
【００４８】
スコロトロン型帯電器１１は、感光ドラム１０の後上方において、感光ドラム１０と間隔を隔てて配置されている。
【００４９】
転写ローラ１２は、感光ドラム１０の下方に配置されている。転写ローラ１２は、感光ドラム１０の下端部と接触している。
【００５０】
現像カートリッジ９は、ドラムカートリッジ８に対して装着または離脱するように構成されている。現像カートリッジ９は、現像ローラ１３と、供給ローラ１４と、層厚規制ブレード１５と、トナー収容部１６とを備えている。
【００５１】
現像ローラ１３は、現像カートリッジ９の後端部において回転可能に支持されている。現像ローラ１３の後端部は、現像カートリッジ９の後端部から露出している。
【００５２】
供給ローラ１４は、現像ローラ１３の前下方において、現像カートリッジ９に回転可能に支持されている。供給ローラ１４は、現像ローラ１３の前下方端部と接触している。
【００５３】
層厚規制ブレード１５は、現像ローラ１３の上方に配置されている。層厚規制ブレード１５は、左右方向に長手の略板形状を有している。層厚規制ブレード１５の下端部は、現像ローラ１３の前端部と接触している。
【００５４】
トナー収容部１６は、供給ローラ１４および層厚規制ブレード１５の前方に配置されている。トナー収容部１６は、トナーを収容するように構成されている。トナー収容部１６は、アジテータ１７を備えている。
【００５５】
アジテータ１７は、トナー収容部１６内において回転するように構成されている。
【００５６】
スキャナユニット４は、プロセスカートリッジ３の上方に配置されている。スキャナユニット４は、図１に破線で示すように、感光ドラム１０に向けて画像データに基づくレーザービームを出射するように構成されている。
【００５７】
定着ユニット５は、プロセスカートリッジ３の後方に配置されている。定着ユニット５は、加熱ローラ１８と、加熱ローラ１８の後上端部に圧接される加圧ローラ１９とを備えている。
【００５８】
そして、プリンタ１が画像形成動作を開始すると、スコロトロン型帯電器１１は、感光ドラム１０の表面を一様に帯電する。その後、スキャナユニット４は、感光ドラム１０の表面を露光する。これにより、画像データに基づく静電潜像が、感光ドラム１０の表面に形成される。
【００５９】
また、アジテータ１７は、トナー収容部１６内のトナーを撹拌し、撹拌されたトナーを供給ローラ１４に供給する。供給ローラ１４は、アジテータ１７から供給されたトナーを現像ローラ１３に供給する。このとき、トナーは、現像ローラ１３と供給ローラ１４との間で正極性に摩擦帯電され、現像ローラ１３上に担持される。層厚規制ブレード１５は、現像ローラ１３上に担持されたトナーを一定厚さに規制する。
【００６０】
そして、現像ローラ１３に担持されたトナーは、感光ドラム１０の表面上の静電潜像に供給される。これにより、トナー像が、感光ドラム１０の表面上に担持される。
【００６１】
用紙Ｐは、給紙トレイ２０から、各種ローラの回転により、所定のタイミングで１枚ずつ、感光ドラム１０と転写ローラ１２との間に給紙される。感光ドラム１０上のトナー像は、感光ドラム１０と転写ローラ１２との間を通過するときに、用紙Ｐに転写される。
【００６２】
その後、用紙Ｐは、加熱ローラ１８と加圧ローラ１９との間を通過するときに加熱および加圧される。このとき、用紙Ｐ上のトナー像は、用紙Ｐに熱定着される。その後、用紙Ｐは、排紙トレイ２１に排紙される。
２．現像カートリッジ
図２および図３に示すように、現像カートリッジ９は、フレーム３１と、駆動部３２とを備えている。
（１）フレーム
図１および図３に示すように、フレーム３１は、後端部が開放された略ボックス形状を有している。フレーム３１は、第１壁の一例としての左壁３３と、第２壁の一例としての右壁３４と、前壁３５と、下壁３６と、上壁３７とを備えている。
【００６３】
左壁３３は、フレーム３１の左端部に配置されている。左壁３３は、前後方向に延びる側面視略矩形の板形状を有している。左壁３３は、支持軸３８と、支持部３９とを備えている。
【００６４】
図４に示すように、支持軸３８は、左壁３３の前端部に配置されている。支持軸３８は、左壁３３の左面から左方へ延びる略円柱形状を有している。支持軸３８の中心軸線Ａ１は、第１軸線の一例である。
【００６５】
支持部３９は、左壁３３の左面から左方へ突出している。支持部３９は、支持軸３８を中心とする略円筒形状を有している。支持部３９は、傾斜面３９Ａと、平行面３９Ｂと、切欠部３９Ｃとを有している。
【００６６】
傾斜面３９Ａは、支持部３９の左面であって、支持部３９の下端部に配置されている。傾斜面３９Ａは、左側面視反時計回り方向の下流側へ向かうにつれて左方へ向かうように傾斜している。
【００６７】
平行面３９Ｂは、支持部３９の左面であって、傾斜面３９Ａの左側面視反時計回り方向下流側端部に連続し、左壁３３と平行に延びている。
【００６８】
切欠部３９Ｃは、平行面３９Ｂの左側面視反時計回り方向下流側端部に配置されている。切欠部３９Ｃは、平行面３９Ｂから右方に向かって切り欠かれている。
【００６９】
右壁３４は、フレーム３１の右端部に配置されている。すなわち、右壁３４は、左右方向において左壁３３と間隔をへだてて配置されている。右壁３４は、前後方向に延びる側面視略矩形の板形状を有している。
【００７０】
前壁３５は、左壁３３の前端部と右壁３４の前端部との間に架設されている。前壁３５は、上下方向に延びる略板形状を有している。
【００７１】
下壁３６は、左壁３３の下端部と右壁３４の下端部との間に架設されている。下壁３６は、前壁３５の下端部から後方へ向かって湾曲しながら延びている。下壁３６は、略板形状を有している。
【００７２】
上壁３７は、左壁３３の上端部、右壁３４の上端部および前壁３５の上端部の上方に配置されている。上壁３７は、左右方向に延びる略板形状を有している。上壁３７の周縁部は、溶着などの方法により、左壁３３の上端部、右壁３４の上端部および前壁３５の上端部に固定されている。
（２）駆動部
図２および図３に示すように、駆動部３２は、ギア列４１と、被覆部材の一例としてのカバー４３とを備えている。
（２−１）ギア列
ギア列４１は、現像カップリング４４、現像ギア４５、供給ギア４６、中間ギア４７、アジテータギア４８、および、可動部材の一例としての検知ギア４９が設けられている。
（２−１−１）現像カップリング
現像カップリング４４は、左壁３３の後端部に回転可能に支持されている。現像カップリング４４は、左右方向に延びる略円柱形状を有している。現像カップリング４４は、第１ギア部５０と、第２ギア部５１と、カップリング部５２とを有している。
【００７３】
第１ギア部５０は、現像カップリング４４の右端部に配置されている。第１ギア部５０は、左右方向に厚みを有する略円板形状を有している。また、第１ギア部５０は、その周面すべてにわたってギア歯を備えている。ギア歯は、左ねじれのはす歯である。
【００７４】
第２ギア部５１は、第１ギア部５０の左面から左方へ突出している。第２ギア部５１は、左右方向に厚みを有する略円板形状を有している。第２ギア部５１の外径は、第１ギア部５０の外径よりも小さい。第２ギア部５１の中心軸線は、第１ギア部５０の中心軸線と一致している。また、第２ギア部５１は、その周面すべてにわたってギア歯を備えている。ギア歯は、左右方向に延びる平歯である。
【００７５】
カップリング部５２は、第２ギア部５１の左面から左方へ突出している。カップリング部５２は、略円柱形状を有している。カップリング部５２の外径は、第２ギア部５１の外径よりも小さい。カップリング部５２の中心軸線は、第２ギア部５１の中心軸線と一致している。カップリング部５２は、凹部５３を有している。
【００７６】
凹部５３は、カップリング部５２の左面から右方へ凹んでいる。凹部５３は、カップリング部５２の径方向に延びる側面視略長穴形状を有している。
（２−１−２）現像ギア
現像ギア４５は、現像カップリング４４の後下方に配置されている。現像ギア４５は、左右方向に厚みを有する略円板形状を有している。現像ギア４５は、現像ローラ１３の回転軸１３Ａの左端部に相対回転不能に支持されている。現像ギア４５の周面には、その全周にわたって、ギア歯が形成されている。ギア歯は、右ねじれのはす歯である。現像ギア４５は、現像カップリング４４の第１ギア部５０の後下端部と噛合している。
（２−１−３）供給ギア
供給ギア４６は、現像カップリング４４の下方に配置されている。供給ギア４６は、左右方向に厚みを有する略円板形状を有している。供給ギア４６は、供給ローラ１４の回転軸１４Ａの左端部に相対回転不能に支持されている。供給ギア４６の周面には、その全周にわたって、ギア歯が形成されている。ギア歯は、右ねじれのはす歯である。供給ギア４６は、現像カップリング４４の第１ギア部５０の下端部と噛合している。
（２−１−４）中間ギア
中間ギア４７は、現像カップリング４４の前方に配置されている。中間ギア４７は、左壁３３に回転可能に支持されている。中間ギア４７は、大径ギア４７Ａと小径ギア４７Ｂとを一体的に有している。
【００７７】
大径ギア４７Ａは、左右方向に厚みを有する略円板形状を有している。大径ギア４７Ａは、その周面すべてにわたってギア歯を備えている。ギア歯は、左右方向に延びる平歯である。大径ギア４７Ａは、現像カップリング４４の第２ギア部５１の前端部と噛合している。
【００７８】
小径ギア４７Ｂは、大径ギア４７Ａの右面から右方へ突出している。小径ギア４７Ｂは、左右方向に延びる略円柱形状を有している。小径ギア４７Ｂの外径は、大径ギア４７Ａの外径よりも小さい。小径ギア４７Ｂの中心軸線は、大径ギア４７Ａの中心軸線と一致している。小径ギア４７Ｂは、その周面すべてにわたってギア歯を備えている。ギア歯は、左右方向に延びる平歯である。
（２−１−５）アジテータギア
アジテータギア４８は、中間ギア４７の前下方に配置されている。アジテータギア４８は、アジテータ１７の回転軸１７Ａの左端部に相対回転不能に支持されている。アジテータギア４８は、大径ギア４８Ａと小径ギア４８Ｂとを一体的に有している。
【００７９】
大径ギア４８Ａは、左右方向に厚みを有する略円板形状を有している。大径ギア４８Ａは、その周面すべてにわたってギア歯を備えている。ギア歯は、左右方向に延びる平歯である。大径ギア４８Ａは、中間ギア４７の小径ギア４７Ｂの前下端部と噛合している。
【００８０】
小径ギア４８Ｂは、大径ギア４８Ａの左面から左方へ突出している。小径ギア４８Ｂは、中間ギア４７の大径ギア４７Ａの前下方に間隔を隔てて配置されている。小径ギア４８Ｂは、左右方向に延びる略円柱形状を有している。小径ギア４８Ｂの外径は、大径ギア４８Ａの外径よりも小さい。小径ギア４８Ｂの中心軸線は、大径ギア４８Ａの中心軸線と一致している。大径ギア４８Ａは、その周面すべてにわたってギア歯を備えている。ギア歯は、左右方向に延びる平歯である。
（２−６）検知ギア
検知ギア４９は、アジテータギア４８の前上方に配置されている。検知ギア４９は、支持軸３８に回転可能に支持されている。検知ギア４９は、ギア部５４と、当接部５５と、摺動部５６とを有している。
【００８１】
ギア部５４は、略円板形状を有している。ギア部５４の周面には、その周方向半分にギア歯が形成されている。ギア歯は、左右方向に延びる平歯である。ギア部５４は、アジテータギア４８の小径ギア４８Ｂと噛合するように構成されている。なお、ギア部５４の左右方向の寸法、すなわち厚みは、アジテータギア４８の小径ギア４８Ｂの左右方向の寸法よりも小さい。これにより、ギア部５４は、左右方向に移動しても、小径ギア４８Ｂとの噛合が解除されないように構成されている。また、ギア部５４は、挿通部５７を備えている。
【００８２】
挿通部５７は、ギア部５４の径方向中央に配置されている。挿通部５７は、左右方向に延びる略円筒形状を有している。挿通部５７は、ギア部５４を左右方向に貫通している。挿通部５７は、支持軸３８の左端部を、相対回転可能かつ左右方向に移動可能に受け入れる。
【００８３】
当接部５５は、ギア部５４の径方向において、挿通部５７の外側に配置されている。当接部５５は、ギア部５４の左面から左側へ突出し、ギア部５４の周方向に延びている。当接部５５は、湾曲された略平板形状に形成されている。
【００８４】
摺動部５６は、ギア部５４の右面から右側へ突出し、ギア部５４の径方向に延びている。摺動部５６は、略板形状を有している。
（２−２）カバー
カバー４３は、右端部が開放された略ボックス形状を有している。カバー４３は、ねじ６０によりフレーム３１の左壁３３に固定されている。カバー４３は、ギア列４１を一括して覆っている。カバー４３は、フレーム３１とともに筐体を構成する。カバー４３は、開口６１と、突出部６２とを有している。
【００８５】
開口６１は、現像カップリング４４に対応するように、カバー４３の後端部に配置されている。開口６１は、現像カップリング４４のカップリング部５２を露出するように、カバー４３の左壁を貫通している。開口６１は、側面視略円形状を有している。
【００８６】
突出部６２は、検知ギア４９に向かい合うように、カバー４３の前端部に配置されている。突出部６２は、左方に突出し、左端部が閉鎖された略円筒形状を有しされている。突出部６２は、開口６３を有している。
【００８７】
開口６３は、検知ギア４９の当接部５５を露出するように、突出部６２の左壁を貫通している。開口６３は、下端部が開放された側面視略Ｃ字形状を有している。
３．アクチュエータおよび光センサ
図８に示すように、本体ケーシング２は、１対の内壁７０と、検知体の一例としてのアクチュエータ７１と、光センサ７２と、判断手段の一例としてのＣＰＵ７７とを備えている。
【００８８】
１対の内壁７０のそれぞれは、本体ケーシング２内において、互いに左右方向に間隔を隔てて配置されている。１対の内壁７０のそれぞれは、プロセスカートリッジ３の左右両端部のそれぞれを支持するように構成されている。なお、以下の説明において、左方の内壁７０を左内壁７０Ｌと記載し、右方の内壁７０を右内壁７０Ｒと記載する。
【００８９】
左内壁７０Ｌは、支持部６９を備えている。
【００９０】
支持部６９は、左内壁７０Ｌの前端部に配置されている。支持部６９は、左面から左方へ突出する断面視略矩形状を有している。なお、支持部６９の下端部は、開放されている。
【００９１】
図５および図８に示すように、アクチュエータ７１は、支持部６９の左方に配置されている。アクチュエータ７１は、揺動軸７３と、当接部７４と、遮光部７５と、線ばね７６とを備えている。なお、以下の説明において、アクチュエータ７１の方向に言及するときには、図５に示す状態を基準とする。
【００９２】
揺動軸７３は、左右方向に延びる略円筒形状を有している。揺動軸７３は、支持部６９に回転可能に支持されている。
【００９３】
当接部７４は、第２部分の一例としての本体部７４Ａと、第１部分の一例としての突部７４Ｂとを有している。
【００９４】
本体部７４Ａは、揺動軸７３の左右方向略中央から下方へ延びている。本体部７４Ａは、中心角約６０°の略扇形状を有している。本体部７４Ａは、左内壁７０Ｌよりも左方に位置している。
【００９５】
突部７４Ｂは、本体部７４Ａの下端部に配置されている。突部７４Ｂは、本体部７４Ａの右面から右方へ突出し、本体部７４Ａの周方向に延びている。突部７４Ｂは、本体部７４Ａの周縁部に沿って湾曲する略平板形状を有している。突部７４Ｂの後端部は、本体部７４Ａの後端部に位置している。突部７４Ｂの前端部は、本体部７４Ａの前後方向略中央に位置している。すなわち、突部７４Ｂは、本体部７４Ａの前端部Ｅよりも後方に配置されている。突部７４Ｂは、上下方向に投影したときに支持部６９の内側に位置している。また、突部７４Ｂは、支持部６９の下端部から露出している。
【００９６】
遮光部７５は、レバー部７５Ａと、遮光板７５Ｂとを有している。
【００９７】
レバー部７５Ａは、揺動軸７３の左右方向略中央から上方へ延びている。レバー部７５Ａは、略板形状を有している。レバー部７５Ａは、左内壁７０Ｌよりも左方に位置している。
【００９８】
遮光板７５Ｂは、レバー部７５Ａの上端部から左方へ突出し、前後方向に延びている。遮光板７５Ｂは、略板形状を有している。
【００９９】
そして、アクチュエータ７１は、遮光部７５が揺動軸７３から上方に向かって延びる第１位置（図５参照）と、遮光部７５が揺動軸７３前上方に向かって延びる第２位置と、遮光部７５が前方に向かって延びる第３位置との間を移動するように構成されている。
【０１００】
線ばね７６は、揺動軸７３に巻回されている。線ばね７６の一端部は、本体部７４Ａに係止されている。線ばね７６の他端部は、図示しないが、支持部６９に係止されている。これにより、線ばね７６は、アクチュエータ７１を、第１位置へ向かって常に付勢している。
【０１０１】
光センサ７２は、アクチュエータ７１の左前方に位置している。光センサ７２は、右端部が開放された略Ｕ字形状を有している。光センサ７２は、発光部７２Ａと、受光部７２Ｂとを有している。発光部７２Ａは、光センサ７２の後下端部に位置している。受光部７２Ｂは、光センサ７２の前上端部に位置している。光センサ７２は、受光部７２Ｂが発光部７２Ａからの光を受光したときにオン信号を発信する。
【０１０２】
ＣＰＵ７７は、光センサ７２に電気的に接続されており、光センサ７２からのオン信号を受信するように構成されている。ＣＰＵ７７は、光センサ７２からのオン信号に基づいて、現像カートリッジ９の状態を判断する。現像カートリッジ９の状態としては、例えば、現像カートリッジ９が本体ケーシング２に装着されているか否か、現像カートリッジ９が新品（すなわち、未使用）であるか否か、および、現像カートリッジ９の印刷可能枚数などが挙げられる。
４．現像カートリッジの装着検出および新品検出
図２および図６Ｂに示すように、検知ギア４９の当接部５５は、現像カートリッジ９が新品であるときには、カバー４３の開口６３の前端部内に位置している。当接部５５の左端縁は、カバー４３の左面と略面一である。このときの検知ギア４９の左右方向位置は、第１可動位置の一例である。
【０１０３】
また、図３に示すように、検知ギア４９のギア部５４は、左側面視反時計回り方向の下流端部において、アジテータギア４８の小径ギア４８Ｂの前端部と噛合している。
【０１０４】
また、検知ギア４９の摺動部５６が、左壁３３の支持部３９の傾斜面３９Ａよりも左側面視反時計回り方向の上流側に位置している。
【０１０５】
なお、図７に示すように、このときの当接部５５の左端縁と左壁３３との左右方向距離Ｄ１は、第１距離の一例である。
【０１０６】
また、図５に示すように、アクチュエータ７１は、現像カートリッジ９が本体ケーシング２内に装着される前の状態では、第１位置に位置している。
【０１０７】
このとき、アクチュエータ７１の遮光板７５Ｂは、光センサ７２の後上方に間隔を隔てて位置している。受光部７２Ｂは、発光部７２Ａからの光を受光している。光センサ７２は、オン信号を発信している。
【０１０８】
これにより、ＣＰＵ７７は、光センサ７２がオンであると判断する。そして、ＣＰＵ７７は、所定時間以上、光センサ７２がオンであると判断した場合に、現像カートリッジ９が本体ケーシング２から離脱されていると判断する。
【０１０９】
そして、フロントカバー７が開放されて現像カートリッジ９が本体ケーシング２内に装着されると、図６および図８に示すように、現像カートリッジ９の突出部６２は、アクチュエータ７１の突部７４Ｂに前側から当接する。
【０１１０】
すると、アクチュエータ７１は、線ばね７６の付勢力に抗して、第１位置から左側面視時計回り方向に揺動し、第２位置に位置する。
【０１１１】
すると、アクチュエータ７１の遮光板７５Ｂは、光センサ７２の発光部７２Ａと受光部７２Ｂとの間に位置する。これにより、受光部７２Ｂは、発光部７２Ａからの光を受光しない。すると、光センサ７２は、オン信号を発信しない。
【０１１２】
これにより、ＣＰＵ７７は、光センサ７２がオフであると判断する。
【０１１３】
その後、フロントカバー７が閉鎖されると、本体ケーシング２内の本体カップリング８１は、現像カップリング４４のカップリング部５２に相対回転不能にはまる。その後、プリンタ１は、ＣＰＵ７７の制御により、ウォーミングアップ動作を開始する。
【０１１４】
すると、本体カップリング８１は、本体ケーシング２からの駆動力を現像カップリング４４に出力する。本体ケーシング２からの駆動力は、現像カップリング４４から、中間ギア４７およびアジテータギア４８を介して検知ギア４９のギア部５４に伝達される。
【０１１５】
すると、検知ギア４９は、左側面視反時計回りに回転する。
【０１１６】
このとき、図３および図９Ｂに示すように、検知ギア４９の摺動部５６は、支持部３９の傾斜面３９Ａ上を左側面視反時計回りに摺動する。これにより、検知ギア４９は、左方に徐々に移動する。
【０１１７】
すると、当接部５５は、左側面視反時計回りに移動しながら左方に徐々に進出し、カバー４３の開口６３を介して、突出部６２の左端縁よりも左側に突出する。
【０１１８】
そして、検知ギア４９が左側面視反時計回りにさらに回転すると、検知ギア４９の摺動部５６は、傾斜面３９Ａ上から平行面３９Ｂ上に移る。
【０１１９】
このとき、図１０に示すように、当接部５５の左端縁と左壁３３との左右方向距離Ｄ２は、最大となる。当接部５５の左端縁と左壁３３との左右方向距離Ｄ２は、第２距離の一例である。このときの検知ギア４９の左右方向位置は、第２可動位置の一例である。
【０１２０】
そして、検知ギア４９が左側面視反時計回りにさらに回転すると、図９Ａおよび図９Ｂに示すように、検知ギア４９の当接部５５は、アクチュエータ７１の本体部７４Ａの前端部Ｅに前側から当接する。
【０１２１】
すると、アクチュエータ７１は、線ばね７６の付勢力に抗して、第２位置から左側面視時計回り方向に揺動し、第３位置に位置する。
【０１２２】
すると、アクチュエータ７１の遮光板７５Ｂは、光センサ７２の前下方に位置する。これにより、受光部７２Ｂは、発光部７２Ａからの光を受光する。すると、光センサ７２は、オン信号を発信する。
【０１２３】
これにより、ＣＰＵ７７は、光センサ７２がオンであると判断する。
【０１２４】
このとき、アクチュエータ７１は、検知ギア４９の当接部５５がアクチュエータ７１の下方を通過するまで、第３位置に保持される。その間、光センサ７２は、オン信号を発信し続ける。また、アクチュエータ７１の回転軸線Ａから、アクチュエータ７１の本体部７４Ａと検知ギア４９の当接部５５との当接部分Ｆ２までの距離Ｄ４は、アクチュエータ７１が第２位置に位置しているときの、回転軸線Ａから、アクチュエータ７１の突部７４Ｂとカバー４３の突出部６２との当接部分Ｆ１までの距離Ｄ３（図１１参照）と、ほぼ等しい。
【０１２５】
その後、検知ギア４９が左側面視反時計回りにさらに回転すると、図１１に示すように、検知ギア４９の当接部５５は、アクチュエータ７１から後下方へ離間する。
【０１２６】
すると、アクチュエータ７１は、線ばね７６の付勢力によって、左側面視反時計回り方向に揺動し、突部７４Ｂが現像カートリッジ９の突出部６２に後方から当接することにより、第２位置に位置する。
【０１２７】
すると、アクチュエータ７１の遮光板７５Ｂは、光センサ７２の発光部７２Ａと受光部７２Ｂとの間に位置する。これにより、受光部７２Ｂは、発光部７２Ａからの光を受光しない。すると、光センサ７２は、オン信号を発信しない。
【０１２８】
これにより、ＣＰＵ７７は、光センサ７２がオフであると判断する。
【０１２９】
また、このとき、摺動部５６が切欠部３９Ｃに嵌まるとともに、図示しないばねの付勢力により、検知ギア４９が右方へ移動する。また、検知ギア４９のギア部５４とアジテータギア４８の小径ギア４８Ｂとの噛合が解除され、検知ギア４９の回転が停止する。
【０１３０】
これにより、検知ギア４９は、左右方向において上記した第１可動位置とほぼ同じ位置に配置される。このときの検知ギア４９の左右方向の位置が、第３可動位置の一例である。また、このときの当接部５５の先端と左壁３３との間の左右方向の距離Ｄ３（図７参照）が、第３距離の一例である。距離Ｄ３は、距離Ｄ１と等しい。
【０１３１】
そして、ＣＰＵ７７は、プリンタ１がウォーミングアップ動作を開始した後に、光センサ７２がオフである、光センサ７２がオンである、光センサ７２がオフである、と順次判断した場合に、現像カートリッジ９が新品（未使用）であると判断する。
【０１３２】
なお、このとき、ＣＰＵ７７において、光センサ７２のオン時間と、現像カートリッジ９の最大画像形成枚数に関する情報とを対応するように関連付けることもできる。
【０１３３】
具体的には、ＣＰＵ７７において、例えば、光センサ７２がオンであると判断する時間が長い場合には、最大画像形成枚数が６０００枚であり、光センサ７２がオンであると判断する時間が短い場合には、最大画像形成枚数が３０００枚であるという情報と関連付ける。
【０１３４】
そして、上記したように、ＣＰＵ７７は、ウォーミングアップ動作が開始された後に、光センサ７２がオフである、光センサ７２がオンである、光センサ７２がオフである、と順次判断し、そのうちの光センサ７２がオンであると判断する時間が長いときには、現像カートリッジ９の最大画像形成枚数が６０００枚であると判断する。
【０１３５】
また、ＣＰＵ７７は、所定時間以上、光センサ７２がオフであると判断した場合に、現像カートリッジ９が本体ケーシング２に装着されていると判断する。
５．作用効果
（１）このプリンタ１によれば、図６に示すように、アクチュエータ７１は、カバー４３の突出部６２が当接部７４の突部７４Ｂに当接したときに、第２位置に位置する。このとき、ＣＰＵ７７は、現像カートリッジ９が本体ケーシング２に装着されていると判断する。
【０１３６】
そのため、現像カートリッジ９のカバー４３そのものの位置を検知することができ、現像カートリッジ９が本体ケーシング２に装着されているか否かを確実に検知することができる。
【０１３７】
そして、図９に示すように、アクチュエータ７１は、検知ギア４９が移動して、検知ギア４９の当接部５５がアクチュエータ７１の当接部７４の本体部７４Ａの前端部Ｅに当接したときに、第３位置に位置する。このとき、ＣＰＵ７７は、現像カートリッジ９が新品であると判断する。
【０１３８】
そのため、現像カートリッジ９が本体ケーシング２に装着されているか否かとは別に、現像カートリッジ９が新品であるか否かを検知することができる。
【０１３９】
その結果、現像カートリッジ９が本体ケーシング２に装着されているか否かを確実に検知することができながら、現像カートリッジ９が新品であるか否かを検知することができる。
（２）このプリンタ１によれば、図６に示すように、現像カートリッジ９を本体ケーシング２に装着したときに、カバー４３の突出部６２は、アクチュエータ７１の当接部７４の本体部７４Ａの前端部Ｅよりも後側において、当接部７４の突部７４Ｂに当接する。
【０１４０】
そのため、突出部６２が突部７４Ｂに当接した後において、検知ギア４９の当接部５５を、前側から容易にアクチュエータ７１の本体部７４Ａに当接させることができる。
【０１４１】
その結果、現像カートリッジ９が本体ケーシング２に装着されているか否かを検知した後においても、現像カートリッジ９が新品であるか否かを確実に検知することができる。
（３）このプリンタ１によれば、図５および図６に示すように、アクチュエータ７１の突部７４Ｂが、本体部７４Ａより右方に位置している。
【０１４２】
そのため、現像カートリッジ９を本体ケーシング２に装着したときに、カバー４３の突出部６２をアクチュエータ７１の突部７４Ｂに容易に当接させることができる。
（４）このプリンタ１によれば、図１０に示すように、検知ギア４９が第２可動位置に進出しているときに、検知ギア４９を本体ケーシング２のアクチュエータ７１に容易に検知させることができながら、図７に示すように、検知ギア４９が第１位置に配置されているとき、または、検知ギア４９が第３位置に退避されているときには、検知ギア４９が本体ケーシング２の部材との衝突などにより破損されることを抑制できる。
（５）このプリンタ１によれば、図６に示すように、検知ギア４９を被覆するカバー４３を利用して、現像カートリッジ９が本体ケーシング２に装着されているか否かを検知することができる。
（６）このプリンタ１によれば、図６に示すように、カバー４３の突出部６２において、カバー４３をアクチュエータ７１の本体部７４Ａに容易に当接させることができる。
（７）このプリンタ１によれば、図９に示すように、アクチュエータ７１の本体部７４Ａに、左右方向に延びる検知ギア４９の当接部５５を当接させることができる。
【０１４３】
そのため、左右方向において、アクチュエータ７１の本体部７４Ａに対する検知ギア４９の当接部５５の当たり代を確保することができ、検知ギア４９の当接部５５を、アクチュエータ７１の本体部７４Ａに対して確実に当接させることができる。
（８）このプリンタ１によれば、図６および図９に示すように、アクチュエータ７１が第２位置に位置しているときの、回転軸線Ａから、アクチュエータ７１の突部７４Ｂとカバー４３の突出部６２との当接部分Ｆ１までの距離Ｄ３と、アクチュエータ７１が第３位置に位置しているときの、回転軸線Ａから、アクチュエータ７１の本体部７４Ａと検知ギア４９の当接部５５との当接部分Ｆ２までの距離Ｄ４とは、略同一長さである。
【０１４４】
そのため、アクチュエータ７１の第１位置から第２位置への移動距離と、アクチュエータ７１の第２位置から第３位置への移動距離とをほぼ同等に設定することができる。
６．第２実施形態
図１２〜図１６を参照して、現像カートリッジの第２実施形態を説明する。なお、第２実施形態において、上記した第１実施形態と同様の部材には同様の符号を付し、その説明を省略する。
（１）第２実施形態の概要
上記した第１実施形態では、アクチュエータ７１は、本体部７４Ａと、突部７４Ｂとを一体的に有している。そして、現像カートリッジ９が本体ケーシング２に装着されるときには、突部７４Ｂは、現像カートリッジ９の突出部６２と当接し、本体部７４Ａは、検知ギア４９の当接部５５と当接している。
【０１４５】
対して、第２実施形態では、アクチュエータ９１は、現像カートリッジ９の突出部６２と当接する第１検知体９２と、検知ギア４９の当接部５５と当接する第２検知体９３とを別部品として備える。
（２）アクチュエータ
アクチュエータ９１は、第１検知体９２と、第２検知体９３と、線ばね９０とを備えている。
【０１４６】
第１検知体９２は、図１２に示すように、第１揺動軸９４と、第１当接部９５と、係合部９９とを備えている。
【０１４７】
第１揺動軸９４は、左右方向に延びる略円筒形状を有している。第１揺動軸９４は、支持部６９に回転可能に支持されている。
【０１４８】
第１当接部９５は、第１揺動軸９４の右端部から下方へ延びている。第１当接部９５は、中心角約４５°の略扇形状を有している。
【０１４９】
係合部９９は、第１当接部９５の上方に配置されている。係合部９９は、第１揺動軸９４の右端部から前下方へ延びている。係合部９９は、略平板形状を有している。
【０１５０】
第２検知体９３は、第２揺動軸９６と、第２当接部９７と、遮光部９８とを備えている。
【０１５１】
第２揺動軸９６は、左右方向に延びる略円柱形状を有している。第２揺動軸９６は、第１揺動軸９４内に回転可能に嵌まっている。第２揺動軸９６は、第１揺動軸９４と中心軸線Ａ２を共有している。
【０１５２】
第２当接部９７は、第２揺動軸９６の左端部から前下方へ延びている。第２当接部９７は、略杆形状を有している。第２当接部９７は、係合部９９の下面に当接している。
【０１５３】
遮光部９８は、レバー部９８Ａと、遮光板９８Ｂとを有している。
【０１５４】
レバー部９８Ａは、第２揺動軸９６の左端部から後下方へ延びている。レバー部９８Ａは、略板形状を有している。
【０１５５】
遮光板９８Ｂは、レバー部９８Ａの後下端部から左方へ突出し、上下方向に延びている。遮光板９８Ｂは、略板形状を有している。
【０１５６】
そして、アクチュエータ９１は、遮光部９８が第２揺動軸９６から後下方に向かって延びる第１位置（図１２参照）と、遮光部９８が第２揺動軸９６から後方に向かって延びる第２位置（図１３参照）と、遮光部９８が第２揺動軸９６から後上方に向かって延びる第３位置（図１４参照）との間を移動するように構成されている。
【０１５７】
線ばね９０は、第２揺動軸９６に巻回されている。線ばね９０の一端部は、第２検知体９３の遮光部９８に係止されている。線ばね９０の他端部は、図示しないが、支持部６９に係止されている。これにより、線ばね９０は、アクチュエータ９１を、第１位置へ向かって、左側面視反時計回り方向に常に付勢している。
（３）検知ギア
第２実施形態の当接部１００は、第１実施形態の当接部５５と異なり、２つの突起１００Ａを有している。
【０１５８】
２つの突起１００Ａのそれぞれは、当接部１００の左側面視反時計回り方向の下流側端部と、当接部１００の左側面視反時計回り方向の上流側端部とにそれぞれ配置されている。２つの突起１００Ａのそれぞれは、当接部１００の左端部から左方へ突出している。２つの突起１００Ａのそれぞれは、略平板形状を有している。
（４）現像カートリッジの装着検出および新品検出
図１３Ｂに示すように、検知ギア４９の当接部１００は、現像カートリッジ９が新品であるときには、突出部６２の開口６３の前端部内に位置している。突起１００Ａの左端縁は、突出部６２の左面と略面一である。このときの検知ギア４９の左右方向位置は、第１可動位置の一例である。
【０１５９】
また、図１２に示すように、アクチュエータ９１は、現像カートリッジ９が本体ケーシング２内に装着される前の状態では、第１位置に位置している。
【０１６０】
このとき、アクチュエータ９１の遮光板９８Ｂは、光センサ７２の後下方に間隔を隔てて位置している。受光部７２Ｂは、発光部７２Ａからの光を受光している。光センサ７２は、オン信号を発信している。
【０１６１】
これにより、上記した第１実施形態と同様に、ＣＰＵ７７は、光センサ７２がオンであると判断する。そして、ＣＰＵ７７は、所定時間以上、光センサ７２がオンであると判断した場合に、現像カートリッジ９が本体ケーシング２から離脱されていると判断する。
【０１６２】
そして、フロントカバー７が開放されて現像カートリッジ９が本体ケーシング２内に装着されると、図１３に示すように、現像カートリッジ９の突出部６２は、アクチュエータ９１の第１検知体９２の第１当接部９５に前側から当接する。
【０１６３】
すると、第１検知体９２は、線ばね９０の付勢力に抗して、左側面視時計回り方向に揺動する。このとき、第２検知体９３は、その第２当接部９７が第１検知体９２の係合部９９によって押圧されることにより、第１検知体９２とともに左側面視時計回り方向に揺動する。これにより、アクチュエータ９１は、第２位置に位置する。
【０１６４】
すると、アクチュエータ９１の遮光板９８Ｂは、光センサ７２の発光部７２Ａと受光部７２Ｂとの間に位置する。これにより、受光部７２Ｂは、発光部７２Ａからの光を受光しない。すると、光センサ７２は、オン信号を発信しない。
【０１６５】
これにより、上記した第１実施形態と同様に、ＣＰＵ７７は、光センサ７２がオフであると判断する。
【０１６６】
その後、フロントカバー７が閉鎖されると、本体ケーシング２内の本体カップリング８１は、現像カップリング４４のカップリング部５２に相対回転不能にはまる。その後、プリンタ１は、ＣＰＵ７７の制御により、ウォーミングアップ動作を開始する。
【０１６７】
すると、本体カップリング８１は、本体ケーシング２からの駆動力を現像カップリング４４に出力する。本体ケーシング２からの駆動力は、現像カップリング４４から、中間ギア４７およびアジテータギア４８を介して検知ギア４９のギア部５４に伝達される。
【０１６８】
すると、図１４に示すように、検知ギア４９は、左側面視反時計回りに回転しながら、左方に徐々に移動する。
【０１６９】
すると、当接部１００の突起１００Ａは、左側面視反時計回りに移動しながら左方に徐々に進出し、開口６３を介して、突出部６２の左端縁よりも左側に突出する。
【０１７０】
そして、左側面視反時計回り方向下流側の突起１００Ａは、第２検知体９３の第２当接部９７に前側から当接する。
【０１７１】
すると、第２検知体９３は、線ばね９０の付勢力に抗して、左側面視時計回り方向に揺動する。このとき、第２検知体９３は、第１検知体９２が揺動しない状態で、第２当接部９７が第１検知体９２の係合部９９から後側へ離間するように、左側面視時計回り方向に揺動する。これにより、アクチュエータ９１は、第３位置に位置する。
【０１７２】
すると、アクチュエータ９１の遮光板９８Ｂは、光センサ７２の前下方に位置する。これにより、受光部７２Ｂは、発光部７２Ａからの光を受光する。すると、光センサ７２は、オン信号を発信する。
【０１７３】
これにより、ＣＰＵ７７は、上記した第１実施形態と同様に、光センサ７２がオンであると判断する。
【０１７４】
そして、検知ギア４９が左側面視反時計回りにさらに回転すると、図１５に示すように、左側面視反時計回り方向下流側の突起１００Ａは、第２検知体９３から後下方へ離間する。
【０１７５】
すると、第２検知体９３は、線ばね９０の付勢力によって、左側面視時計回り方向に揺動し、第２当接部９７において、第１検知体９２の係合部９９に後方から当接する。これにより、アクチュエータ９１は、第２位置に位置する。
【０１７６】
すると、アクチュエータ９１の遮光板９８Ｂは、光センサ７２の発光部７２Ａと受光部７２Ｂとの間に位置する。これにより、受光部７２Ｂは、発光部７２Ａからの光を受光しない。すると、光センサ７２は、オン信号を発信しない。
【０１７７】
これにより、ＣＰＵ７７は、光センサ７２がオフであると判断する。
【０１７８】
そして、検知ギア４９が左側面視反時計回りにさらに回転すると、図１６に示すように、左側面視反時計回り方向上流側の突起１００Ａが、上記した左側面視反時計回り方向下流側の突起１００Ａと同様に、第２検知体９３の第２当接部９７に前側から当接する。
【０１７９】
すると、第２検知体９３は、線ばね９０の付勢力に抗して、左側面視時計回り方向に揺動し、アクチュエータ９１は、第３位置に位置する。
【０１８０】
すると、光センサ７２は、オン信号を発信し、ＣＰＵ７７は、光センサ７２がオンであると判断する。
【０１８１】
その後、検知ギア４９が左側面視反時計回りにさらに回転すると、左側面視反時計回り方向上流側の突起１００Ａは、第２検知体９３から後下方へ離間する。
【０１８２】
すると、アクチュエータ９１は、第２位置に位置し、光センサ７２は、オン信号を発信しない。これにより、ＣＰＵ７７は、光センサ７２がオフであると判断する。
【０１８３】
そして、ＣＰＵ７７は、プリンタ１がウォーミングアップ動作を開始した後に、光センサ７２がオフである、光センサ７２がオンである、光センサ７２がオフである、と順次判断した場合に、現像カートリッジ９が新品（未使用）であると判断する。
【０１８４】
なお、このとき、ＣＰＵ７７において、光センサ７２のオン回数と、現像カートリッジ９の最大画像形成枚数に関する情報とを対応するように関連付けることもできる。
【０１８５】
具体的には、ＣＰＵ７７において、例えば、光センサ７２がオンであると判断する回数が２回である場合には、最大画像形成枚数が６０００枚であり、光センサ７２がオンであると判断する回数が１回である場合には、最大画像形成枚数が３０００枚であるという情報と関連付ける。
【０１８６】
そして、上記したように、ＣＰＵ７７は、ウォーミングアップ動作が開始された後に、光センサ７２がオフである、光センサ７２がオンである、光センサ７２がオフである、と順次判断した後、さらに、光センサ７２がオンである、光センサ７２がオフである、と順次判断したときには、現像カートリッジ９の最大画像形成枚数が６０００枚であると判断する。
（５）第２実施形態の作用効果
（５−１）第２実施形態のプリンタ１によれば、図１３および図１４に示すように、第１検知体９２は、アクチュエータ９１が第２位置から第３位置に移動するときに、移動せず、第２検知体９３は、アクチュエータ９１が第２位置から第３位置に移動するときに、移動する。
【０１８７】
そのため、アクチュエータ９１が第２位置から第３位置に移動するときに、第２検知体９３のみを確実に移動させることができる。
（５−２）第２実施形態のプリンタ１によれば、第１検知体９２と第２検知体９３とは、ともに、中心軸線Ａ２について回動する。
【０１８８】
そのため、第１検知体９２と第２検知体９３とを共通の中心軸線Ａ２について回動させることができる。
【０１８９】
そのため、第１検知体９２と第２検知体９３とを効率よく配置することができる。
（５−３）第２実施形態においても、上記した第１実施形態と同様の作用効果を得ることができる。
（６）第２実施形態の変形例
第２実施形態において、本体ケーシングは、図１７に示すように、突起９６を有していてもよい。
【０１９０】
突起９６は、本体ケーシング２の左内面から右方に突出している。突起９６は、略円柱形状を有している。突起９６は、第１検知体９２の後上側、すなわち、第１位置から第２位置に向かう方向である移動方向おける下流側に配置される。突起９６は、第２位置にある第１検知体９２の第１当接部９５の後端部と当接する。
【０１９１】
この変形例によれば、突起９６は、第１検知体９２が移動方向下流側に向かってそれ以上移動することを規制する。
【０１９２】
これにより、第２位置にある第１検知体９２が誤ってリセットギア等と当接し、第３位置に向かって移動することを防ぐことが可能となり、プリンタ１が現像カートリッジ９の新旧を誤検知することを低減できる。
７．その他の変形例
（１）上記した各実施形態では、可動部材の一例として検知ギア４９を挙げている。しかし、可動部材の形態は、特に限られず、例えば、可動部材をラックアンドピニオン機構で構成してもよく、また、検知ギア４９のギア歯の代わりに、ゴム等の摩擦体を設けることもできる。
（２）また、上記した各実施形態では、カートリッジの一例として、現像ローラ１３を有する現像カートリッジ９を挙げたが、カートリッジとしては、例えば、現像ローラを有さないトナーボックスタイプのカートリッジであってもよく、また、ドラムカートリッジと現像カートリッジとを一体的に有するプロセスカートリッジであってもよい。
（３）また、上記した各実施形態では、本体カップリング８１と現像カップリング４４との連結によって現像カートリッジ９に駆動力を入力する構成を採用している。しかし、本体ケーシング２から駆動力を入力する構成は特に限定されず、例えば、所定のギアによって現像カートリッジ９に駆動力を入力してもよい。
（４）また、上記した各実施形態では、スキャナユニット４で感光ドラム１０を露光しているが、例えば、ＬＥＤで感光ドラム１０を露光してもよい。
【符号の説明】
【０１９３】
１      プリンタ
２      本体ケーシング
９      現像カートリッジ
３１    フレーム
３３    左壁
３４    右壁
４３    カバー
４９    検知ギア
５５    当接部
６２    突出部
７１    アクチュエータ
７４Ａ  本体部
７４Ｂ  突部
７７    ＣＰＵ
９２    第１検知体
９３    第２検知体
Ａ      回転軸線
Ａ１    中心軸線
Ａ２    中心軸線
Ｆ１    当接部分
Ｆ２    当接部分
【図１】
2014191347.tif 000003
【図２】
2014191347.tif 000004
【図３】
2014191347.tif 000005
【図４】
2014191347.tif 000006
【図５】
2014191347.tif 000007
【図６】
2014191347.tif 000008
【図７】
2014191347.tif 000009
【図８】
2014191347.tif 000010
【図９】
2014191347.tif 000011
【図１０】
2014191347.tif 000012
【図１１】
2014191347.tif 000013
【図１２】
2014191347.tif 000014
【図１３】
2014191347.tif 000015
【図１４】
2014191347.tif 000016
【図１５】
2014191347.tif 000017
【図１６】
2014191347.tif 000018
【図１７】
2014191347.tif 000019